(57)【特許請求の範囲】
【請求項１】
第１用紙、該第１用紙に対応する第１面付けデータ、及び複数のページを表すページ記述データに基づいて形成される各第１印刷物に対し、折り数が複数回である紙折り工程を含む第１加工処理をそれぞれ施して得られる最終印刷物の形態を、前記第１用紙と異なるサイズの第２用紙を用いて模擬的に再現するための印刷用データを作成するデータ作成装置であって、
前記第２用紙上に画像が形成された各第２印刷物に対し、折り数が１回である紙折り工程を含む第２加工処理をそれぞれ施すことで前記最終印刷物の形態を模擬的に再現可能であり、
前記第１面付けデータを参照して前記第１加工処理に平綴じ工程が含まれるか否かを判別する平綴じ有無判別部と、
前記平綴じ有無判別部により平綴じ工程が含まれると判別された場合、平綴じがなされる折り丁単位で、印刷工程及び紙折り工程の実行単位であるジョブを定義するジョブ定義部と、
前記ジョブ定義部により定義された前記ジョブ毎に、前記ジョブの実行順番を示すＩＤを割り当て、前記第２用紙に対応する前記印刷用データをそれぞれ作成するデータ作成部と
を有することを特徴とするデータ作成装置。
【請求項２】
請求項１記載のデータ作成装置において、
前記印刷用データは、前記第２用紙に対応する第２面付けデータであることを特徴とするデータ作成装置。
【請求項３】
請求項２記載のデータ作成装置において、
前記ページ記述データが表す各ページを、前記データ作成部により作成された前記第２面付けデータに従って前記第２用紙上に面付けする面付け処理部をさらに有することを特徴とするデータ作成装置。
【請求項４】
請求項１記載のデータ作成装置において、
前記印刷用データは、前記ページ記述データが表す各ページを前記第１面付けデータに従って面付けした前記第１用紙に対応する面付け済みデータに基づいて作成された、前記第２用紙に対応する面付け済みデータであることを特徴とするデータ作成装置。
【請求項５】
請求項１〜４のいずれか１項に記載のデータ作成装置において、
前記データ作成部は、前記印刷用データとして、前記ジョブ毎の別個のデータファイルを作成することを特徴とするデータ作成装置。
【請求項６】
第１用紙、該第１用紙に対応する第１面付けデータ、及び複数のページを表すページ記述データに基づいて形成される各第１印刷物に対し、折り数が複数回である紙折り工程を含む第１加工処理をそれぞれ施して得られる最終印刷物の形態を、前記第１用紙と異なるサイズの第２用紙を用いて模擬的に再現するための印刷用データを作成するデータ作成方法であって、
前記第２用紙上に画像が形成された各第２印刷物に対し、折り数が１回である紙折り工程を含む第２加工処理をそれぞれ施すことで前記最終印刷物の形態を模擬的に再現可能であり、
前記第１面付けデータを参照して前記第１加工処理に平綴じ工程が含まれるか否かを判別する判別ステップと、
平綴じ工程が含まれると判別された場合、平綴じがなされる折り丁単位で、印刷工程及び紙折り工程の実行単位であるジョブを定義する定義ステップと、
定義された前記ジョブ毎に、前記ジョブの実行順番を示すＩＤを割り当て、前記第２用紙に対応する前記印刷用データをそれぞれ作成する作成ステップと
をコンピュータに実行させることを特徴とするデータ作成方法。
【請求項７】
第１用紙、該第１用紙に対応する第１面付けデータ、及び複数のページを表すページ記述データに基づいて形成される各第１印刷物に対し、折り数が複数回である紙折り工程を含む第１加工処理をそれぞれ施して得られる最終印刷物の形態を、前記第１用紙と異なるサイズの第２用紙を用いて模擬的に再現するための印刷用データを作成するためのプログラムであって、
前記第２用紙上に画像が形成された各第２印刷物に対し、折り数が１回である紙折り工程を含む第２加工処理をそれぞれ施すことで前記最終印刷物の形態を模擬的に再現可能であり、
コンピュータを、
前記第１面付けデータを参照して前記第１加工処理に平綴じ工程が含まれるか否かを判別する平綴じ有無判別部、
前記平綴じ有無判別部により平綴じ工程が含まれると判別された場合、平綴じがなされる折り丁単位で、印刷工程及び紙折り工程の実行単位であるジョブを定義するジョブ定義部、
前記ジョブ定義部により定義された前記ジョブ毎に、前記ジョブの実行順番を示すＩＤを割り当て、前記第２用紙に対応する前記印刷用データをそれぞれ作成するデータ作成部
として機能させることを特徴とするプログラム。
【発明の詳細な説明】
【技術分野】
【０００１】
本発明は、第１用紙、該第１用紙に対応する第１面付けデータ、及び複数のページを表すページ記述データに基づいて形成される第１印刷物に対し、紙折り工程を含む第１加工処理を施して得られる最終印刷物の形態を、前記第１用紙と異なるサイズの第２用紙を用いて模擬的に再現するための印刷用データを作成するデータ作成装置、データ作成方法及びプログラムに関する。
【背景技術】
【０００２】
近時、印刷製版の分野において、中間成果物を生成せずに電子データにより直接刷版を形成するＣＴＰ（Computer To Plate）が普及している。また、従前からのオフセット印刷機等の大規模な印刷装置とは別に、電子写真方式やインクジェット方式等の小規模なデジタルプリンタを用いて、比較的小ロットの印刷処理を行うＰＯＤ（Print On Demand）システムも出現している。そこで、複数のページが面付けされたＣＴＰ用データを、刷版を用いることなくＰＯＤシステムで効率良く印刷を行う技術が種々提案されている。
【０００３】
特許文献１では、大判サイズの用紙に応じたＣＴＰ用データに関し、ページの内容を再配置した後、異なるサイズの用紙に面付けしたＰＯＤ用データを作成する方法及び装置が提案されている。
【０００４】
ところで、校正工程内に上記ＰＯＤシステムを導入することで、製本後の形態を確認するための「束見本」を進化させたプルーフを作製可能である。具体的には、ページ毎のコンテンツを実際に印刷し後加工処理等を施すことで、最終印刷物の形態（サイズを含む。）を模擬した「仕上がり見本」を提供できる。これにより、最終印刷物の形態（仕上がり）を早期にイメージできるため、印刷発注者や広告代理店にとって便宜である。
【０００５】
そこで、特許文献２では、ＣＴＰ用面付けデータをＰＯＤ用面付けデータに変換した上で、各ページを面付けする方法及び装置が提案されている。これによれば、取り扱うデータ量が低減するとともに、配置等の微調整も容易となる。極めて少ないロット数での印刷、特に前記仕上がり見本を作製する場合には有効である。
【先行技術文献】
【特許文献】
【０００６】
【特許文献１】特開２００９−４９１２号公報
【特許文献２】特開２０１１−１８２３０号公報
【発明の概要】
【発明が解決しようとする課題】
【０００７】
本発明は、特許文献２に開示されている技術的思想に関連してなされたものであって、ＰＯＤシステムを用いて、乱丁等の製本不良を生じることなく仕上がり見本を作製可能なデータ作成装置、データ作成方法及びプログラムを提供することを目的とする。
【課題を解決するための手段】
【０００８】
本発明に係るデータ作成装置は、第１用紙、該第１用紙に対応する第１面付けデータ、及び複数のページを表すページ記述データに基づいて形成される第１印刷物に対し、紙折り工程を含む第１加工処理を施して得られる最終印刷物の形態を、前記第１用紙と異なるサイズの第２用紙を用いて模擬的に再現するための印刷用データを作成する装置に関する。
【０００９】
前記第１面付けデータを参照して前記第１加工処理に平綴じ工程が含まれるか否かを判別する平綴じ有無判別部と、前記平綴じ有無判別部により平綴じ工程が含まれると判別された場合、平綴じがなされる折り丁単位で、印刷工程及び紙折り工程を含むジョブを定義するジョブ定義部と、前記ジョブ定義部により定義されたジョブ毎に、前記第２用紙に対応する前記印刷用データをそれぞれ作成するデータ作成部とを有することを特徴とする。
【００１０】
このように、第１加工処理に平綴じ工程が含まれるか否かを判別する平綴じ有無判別部と、平綴じ工程が含まれると判別された場合、平綴じがなされる折り丁単位で定義されたジョブ毎に、第２用紙に対応する印刷用データをそれぞれ作成するデータ作成部とを設けたので、印刷工程及び紙折り工程を含むジョブを順次登録することで、各折り丁を形成するための紙折り工程が適切なタイミングで確実に実行される。これにより、平綴じが含まれる製本形態であっても、第１用紙を用いた最終印刷物の形態を、第２用紙を用いて模擬的に再現可能である。すなわち、ＰＯＤシステムを用いて、乱丁等の製本不良を生じることなく仕上がり見本を作製できる。
【００１１】
また、前記印刷用データは、前記第２用紙に対応する第２面付けデータであることが好ましい。
【００１２】
さらに、前記ページ記述データが表す各ページを、前記データ作成部により作成された前記第２面付けデータに従って前記第２用紙上に面付けする面付け処理部をさらに有することが好ましい。
【００１３】
また、前記印刷用データは、前記ページ記述データが表す各ページを前記第１面付けデータに従って面付けした前記第１用紙に対応する面付け済みデータに基づいて作成された、前記第２用紙に対応する面付け済みデータであることが好ましい。
【００１４】
さらに、前記第２用紙上に画像が形成された第２印刷物に対し、紙折り工程を含む第２加工処理を施すことで前記最終印刷物の形態を模擬的に再現可能であり、前記第１加工処理に含まれる紙折り工程での折り数は、前記第２加工処理に含まれる紙折り工程での折り数よりも多いことが好ましい。
【００１５】
さらに、前記第１加工処理には、折り数が複数回である紙折り工程が含まれることが好ましい。
【００１６】
さらに、前記第２加工処理には、折り数が１回である紙折り工程が含まれることが好ましい。
【００１７】
本発明に係るデータ作成方法は、第１用紙、該第１用紙に対応する第１面付けデータ、及び複数のページを表すページ記述データに基づいて形成される第１印刷物に対し、紙折り工程を含む第１加工処理を施して得られる最終印刷物の形態を、前記第１用紙と異なるサイズの第２用紙を用いて模擬的に再現するための印刷用データを作成する方法であって、前記第１面付けデータを参照して前記第１加工処理に平綴じ工程が含まれるか否かを判別する判別ステップと、平綴じ工程が含まれると判別された場合、平綴じがなされる折り丁単位で、印刷工程及び紙折り工程を含むジョブを定義する定義ステップと、定義されたジョブ毎に、前記第２用紙に対応する前記印刷用データをそれぞれ作成する作成ステップとを備えることを特徴とする。
【００１８】
本発明に係るプログラムは、第１用紙、該第１用紙に対応する第１面付けデータ、及び複数のページを表すページ記述データに基づいて形成される第１印刷物に対し、紙折り工程を含む第１加工処理を施して得られる最終印刷物の形態を、前記第１用紙と異なるサイズの第２用紙を用いて模擬的に再現するための印刷用データを作成するためのプログラムであって、コンピュータを、前記第１面付けデータを参照して前記第１加工処理に平綴じ工程が含まれるか否かを判別する平綴じ有無判別部、前記平綴じ有無判別部により平綴じ工程が含まれると判別された場合、平綴じがなされる折り丁単位で、印刷工程及び紙折り工程を含むジョブを定義するジョブ定義部、前記ジョブ定義部により定義されたジョブ毎に、前記第２用紙に対応する前記印刷用データをそれぞれ作成するデータ作成部として機能させることを特徴とする。
【発明の効果】
【００１９】
本発明に係るデータ作成装置、データ作成方法及びプログラムによれば、第１加工処理に平綴じ工程が含まれるか否かを判別し、含まれると判別された場合、平綴じがなされる折り丁単位で定義されたジョブ毎に、第２用紙に対応する印刷用データをそれぞれ作成するようにしたので、印刷工程及び紙折り工程を含むジョブを順次登録することで、各折り丁を形成するための紙折り工程が適切なタイミングで確実に実行される。これにより、平綴じが含まれる製本形態であっても、第１用紙を用いた最終印刷物の形態を、第２用紙を用いて模擬的に再現可能である。すなわち、ＰＯＤシステムを用いて、乱丁等の製本不良を生じることなく仕上がり見本を作製できる。
【図面の簡単な説明】
【００２０】
【図１】本実施の形態に係るデータ作成装置が組み込まれた印刷物生産システムの概略説明図である。
【図２】図１に示す画像編集装置の電気的なブロック図である。
【図３】図１に示す印刷物生産システムを用いた印刷ワークフローの概略を説明するフローチャートである。
【図４】図３のステップＳ５において仕上がり見本を作製する際の、画像編集装置の動作説明に供される第１フローチャートである。
【図５】図５Ａは、第１印刷物の概略正面図である。図５Ｂは、第１面付けデータが表すジョブの一例である。図５Ｃは、第２面付けデータが表すジョブの一例である。
【図６】図６Ａは、刷版用面付け済みデータの作成に関する概略説明図である。図６Ｂは、ＰＯＤ用面付け済みデータの作成に関する概略説明図である。
【図７】第２面付けデータのデータ構造を表す概略説明図である。
【図８】図３のステップＳ５において仕上がり見本を作製する際の、画像編集装置の動作説明に供される第２フローチャートである。
【図９】図９Ａは、ＰＯＤ機を用いて印刷された第２印刷物の概略正面図である。図９Ｂは、図９Ａの各印刷物に対して紙折り処理を施した第１折り丁の概略斜視図である。
【図１０】仕上がり見本の概略分解斜視図である。
【図１１】ＰＯＤ用面付けデータの作成方法の変形例を表す概略説明図である。
【発明を実施するための形態】
【００２１】
以下、本発明に係るデータ作成方法について、それを実施するデータ作成装置並びに印刷物生産システムとの関係において好適な実施形態を挙げ、添付の図面を参照しながら詳細に説明する。
【００２２】
図１は、本実施の形態に係るデータ作成装置としての画像編集装置２０が組み込まれた印刷物生産システム１０の概略説明図である。
【００２３】
印刷物生産システム１０は、製版サイト１２と、印刷サイト１４と、データベースサーバ１６と、ネットワーク１８とを基本的に備える。製版サイト１２内には、画像編集装置２０と、校正機２２と、ＰＯＤ機２４とが設けられている。
【００２４】
画像編集装置２０は、ページ記述言語（以下、ＰＤＬという。）によるページ単位の編集データ（ページ記述データ）、例えば、４色（ＣＭＹＫ）や３色（ＲＧＢ）のカラーチャンネルからなるＰＤＬ形式のデータを生成する。
【００２５】
ここで、ＰＤＬとは、印刷や表示等の出力単位である「ページ」内で文字、図形等の書式情報、位置情報、色情報（濃度情報を含む。）等の画像情報を記述する言語である。例えば、ＰＤＦ（”Portable Document Format”の略で、ＩＳＯ３２０００−１：２００８に規定）、ＡｄｏｂｅＳｙｓｔｅｍｓ社のＰｏｓｔＳｃｒｉｐｔ（登録商標）やＸＰＳ（XML Paper Specification）等が知られている。
【００２６】
画像編集装置２０は、ページ単位の編集データに対して、所望の画像処理、例えばプレフライト処理、色変換処理、又は配置処理等を行った後、ラスタ形式のデータ（例えば、ビットマップやＴＩＦＦ）に変換し、印刷データを校正機２２又はＰＯＤ機２４に送信する各機能を有している。
【００２７】
画像編集装置２０は、本体部２６と、表示部２８と、入力部３０（キーボード３２及びマウス３４）とを備える。ポインティングデバイスとしてのマウス３４に代替し、トラックパッドやトラックボールを用いてもよい。
【００２８】
校正機２２は、校正するための校正刷りＰ１を得る出力装置である。校正機２２として、オフセット印刷機と同等の印刷性能を備えるＤＤＣＰ（Direct Digital Color Proofer）、インクジェットカラープルーファ、低解像度のカラーレーザプリンタ（電子写真方式）やインクジェットプリンタ等が用いられる。
【００２９】
ＰＯＤ機２４は、校正機２２と同様に、校正するための仕上がり見本Ｐ２を得る出力装置である。ここで、仕上がり見本Ｐ２とは、印刷サイト１４で生産される最終印刷物ＦＰを模擬的に再現する印刷見本、すなわちページ毎の内容（コンテンツ）が印刷された束見本である。ＰＯＤ機２４は、図示しないメディア上に画像を形成して端物を出力する印刷機能と、前記端物を折り込む紙折り機能とを少なくとも実行可能である。ＰＯＤ機２４は、少なくとも１枚の端物を綴じ込む綴じ機能をさらに備えてもよい。
【００３０】
データベースサーバ１６は、最終印刷物ＦＰの生産に必要な各種データファイルを保存、更新、削除等する。各種データファイルには、図示しない制作会社からの素材データ（コンテンツ）、校正データ、刷版用データ、ジョブチケット｛例えば、ＪＤＦ（Job Definition Format）ファイル｝、ＩＣＣ（International Color Consortium）プロファイル、色見本データ等が含まれる。
【００３１】
ネットワーク１８は、イーサネット（登録商標）等の通信規格に基づいて構築されている。そして、ネットワーク１８を介して、製版サイト１２と、印刷サイト１４と、データベースサーバ１６とが相互に接続されている。例えば、製版サイト１２と印刷サイト１４とが地理的に離れている場合、ネットワーク１８を介して、刷版用データは、製版サイト１２と印刷サイト１４との間で授受される。
【００３２】
印刷サイト１４には、刷版用データを用いて所望の画像処理を行う画像処理装置、刷版を作成するためのプレートセッタ、所望の画像を各種メディア（以下、第１用紙という。）に印刷して印刷物（以下、第１印刷物という。）を得るオフセット印刷機、第１印刷物に対して表面加工、少なくとも１回（好ましくは複数回）の紙折り、綴じ、断裁等の加工処理（以下、第１加工処理という。）を施す各種装置が配置されている。そして、印刷サイト１４内において第１印刷物を少なくとも１枚形成した後、第１加工処理を施すことで、最終印刷物ＦＰ（本図例では上製本）が生産される。なお、プレートセッタ及びオフセット印刷機に代替して、刷版用データから直接印刷可能なデジタル印刷機を設けてもよい。
【００３３】
図２は、図１に示す画像編集装置２０の電気的なブロック図である。
【００３４】
本体部２６は、制御部３６と、通信Ｉ／Ｆ３８と、表示制御部４０と、第１印刷Ｉ／Ｆ４２と、第２印刷Ｉ／Ｆ４４と、メモリ４６とを備える。
【００３５】
通信Ｉ／Ｆ３８は、外部装置からの電気信号を送受信するインターフェースである。例えば、図示しない制作会社から提供された素材データを取得可能である。また、データベースサーバ１６で管理・保存された刷版用データ、ＩＣＣプロファイル等の各種情報を取得可能である。
【００３６】
表示制御部４０は、制御部３６の制御に従って、表示部２８を駆動制御する制御回路である。表示制御部４０が、図示しないＩ／Ｆを介して、表示制御信号を表示部２８に出力することで、表示部２８が駆動する。これにより、表示部２８は、各種画像を表示することができる。
【００３７】
第１印刷Ｉ／Ｆ４２及び第２印刷Ｉ／Ｆ４４は、印刷データとしての電気信号を送信するインターフェースである。第１印刷Ｉ／Ｆ４２を介して、校正機２２は、所望の校正刷りＰ１を印刷することができる。第２印刷Ｉ／Ｆ４４を介して、ＰＯＤ機２４は、所望の仕上がり見本Ｐ２を作製することができる。
【００３８】
メモリ４６は、制御部３６が各部を制御するのに必要なプログラム及びデータ等を記憶している。メモリ４６は、不揮発性のメモリ、ハードディスク等の記録媒体であってよい。
【００３９】
制御部３６は、ＣＰＵ等のプロセッサによって構成されている。制御部３６は、メモリ４６に格納されたプログラムを読み出し実行することで、画像編集部４８、ＲＩＰ処理部５０、印刷制御部５２、及びＰＯＤ用データ処理部５４の機能を実現可能である。
【００４０】
画像編集部４８は、文字、図形、絵柄や写真等から構成される素材データから、ページ単位の編集データを作成する。また、画像編集部４８は、指定された綴じ方法や紙折り方法に応じて、所定サイズの用紙上にページ単位で面付けするための面付けデータ（例えば、ジョブチケット）を作成する。
【００４１】
ＲＩＰ処理部５０は、面付けデータを参照しながらページ単位の編集データを面付けすることで面付け済みデータを得る面付け処理部５６と、面付け済みデータに対してラスタライズ処理を施すラスタライズ処理部５８とを備える。このラスタライズ処理には、ＰＤＬ形式からラスタ形式に変換するデータ形式変換処理と、ＩＣＣプロファイルを用いたカラーマッチング処理とが含まれる。
【００４２】
印刷制御部５２は、ＰＯＤ機２４に対して適切な出力指示を行う。この出力指示には、印刷指示、紙折り指示が少なくとも含まれ、綴じ指示が含まれる場合もある。また、印刷制御部５２は、複数のジョブを一時に受け付けた場合、各ジョブの順番制御を適切に行う。
【００４３】
ＰＯＤ用データ処理部５４は、ＰＯＤ機２４による印刷条件を決定する印刷条件決定部６０と、印刷サイト１４側に供給しようとする刷版用データを取得する刷版用データ取得部６２と、刷版用データ取得部６２により取得された刷版用データを参照・解析して、第１加工処理に平綴じが含まれるか否かを判別する平綴じ有無判別部６４と、ＰＯＤ機２４により実行される少なくとも１つのジョブを定義するジョブ定義部６６と、ジョブ定義部６６により定義された少なくとも１つのジョブに応じたＰＯＤ用データ（印刷用データ）を作成するデータ作成部６８とを備える。
【００４４】
なお、本明細書中において、「刷版用データ」は印刷サイト１４での各工程に供される種々のデータを意味し、「ＰＯＤ用データ」はＰＯＤ機２４に供される種々のデータを意味する。すなわち、刷版用データ（あるいはＰＯＤ用データ）には、面付け済みのラスタデータ又はベクトルデータのみならず、面付けデータ、及びページ単位の編集データが含まれる。
【００４５】
また、本実施の形態において、刷版用データに対応する第１用紙のサイズ（例えばＢ１判）は、ＰＯＤ用データに対応する第２用紙のサイズ（例えば、ＳＲＡ４判）と異なることを前提とする。この場合、ＰＯＤ機２４を用いて仕上がり見本Ｐ２を作製する際、前記刷版用データをそのまま使用できない。そこで、ＰＯＤ用データ処理部５４は、第１用紙及び第１加工処理の組合せに適した刷版用データとは異なる、第２用紙及び第２加工処理の組合せに適したＰＯＤ用データを新たに作成する必要がある。ここで、第２用紙とは、ＰＯＤ機２４による印刷に用いられる用紙である。また、第２加工処理とは、所望の画像を第２用紙上に印刷した印刷物（以下、第２印刷物という。）に対して施す加工処理、例えば、表面加工、紙折り、綴じ、断裁等を意味する。
【００４６】
本実施の形態に係る画像編集装置２０は、以上のように構成される。続いて、印刷物生産システム１０を用いた印刷ワークフローの概略について、図３のフローチャートを主に参照しながら説明する。製版サイト１２（図１参照）内での作業工程は、ステップＳ１〜Ｓ８から構成されている。本実施の形態では、特に校正工程を中心に説明する。
【００４７】
先ず、制作会社等に属するデザイナは、最終印刷物ＦＰの素材データ（コンテンツ）を入稿するとともに、製版サイト１２に属する作業者（以下、単に作業者という。）は、前記素材データを編集してＤＴＰ処理を行う（ステップＳ１）。例えば、画像編集装置２０は、データベースサーバ１６に予め保存された素材データを、ネットワーク１８、通信Ｉ／Ｆ３８を介して取得した後、メモリ４６に一旦記録する。
【００４８】
そして、作業者による編集作業に応じて、画像編集部４８は、１つ又は複数の素材データからページ単位の編集データを作成する。そして、画像編集部４８は、指定された綴じ方法や紙折り方法に応じた面付けデータ（以下、第１面付けデータという。）を作成する。そして、入稿・ＤＴＰ工程が完了した後、次の工程に移行するため、前記ページ単位の編集データ及び前記第１面付けデータを、校正データとしてメモリ４６に一時的に記録する。
【００４９】
次いで、作業者は、校正データの校正を行うため、校正機２２に校正刷りＰ１を印刷させる（ステップＳ２）。印刷指示に応じて、ＲＩＰ処理部５０（図２参照）は、メモリ４６から取得した校正データから、面付け済みのラスタデータに変換する。そして、校正機２２は、第１印刷Ｉ／Ｆ４２を介して、前記ラスタデータを取得し、図示しないメディア上に画像を印刷することで、校正刷りＰ１を得る。このとき、最終印刷物ＦＰの色を再現するように、公知のカラーマッチング技術を用いて校正刷りＰ１の色を調整してもよい。
【００５０】
次いで、作業者は、校正データについて修整箇所があるか否かを確認する（ステップＳ３）。修整箇所があった場合、現時点での校正データを修整した上で（ステップＳ４）、作業者は、校正作業を繰り返す（ステップＳ２〜Ｓ４）。
【００５１】
修整箇所がないと判別された場合、作業者は、ＰＯＤ機２４に、最終印刷物ＦＰを模擬した仕上がり見本Ｐ２を作製させる（ステップＳ５）。そして、承認者は、仕上がり見本Ｐ２の良し悪しを判断することで、校正データの最終確認を行う（同）。この承認者は、ステップＳ１〜Ｓ４を行う作業者と同一の者であってもよいし、異なる者（例えば、制作会社等に属する担当責任者）であってもよい。なお、仕上がり見本Ｐ２を作製する際の、画像編集装置２０の動作については後述する。
【００５２】
ステップＳ６の最終確認の結果、ＯＫでない旨の判断がなされた場合は、校正データの再編集又は再修整を行う（ステップＳ７）。その後、変更箇所が軽微である場合はそのまま再確認を行ったり（ステップＳ５）、必要に応じて校正印刷等を再度行ったりする（ステップＳ２〜Ｓ４）。このように、次の印刷工程への移行の承認が得られるまで、ステップＳ２〜Ｓ７を繰り返す。
【００５３】
一方、ステップＳ６の最終確認の結果、ＯＫである旨の判断がなされた場合、得られた校了データをデータベースサーバ１６にアップロードし、データファイルを保存する（ステップＳ８）。最後に、印刷サイト１４に所属する印刷オペレータは、データベースサーバ１６からダウンロードした校了データに基づいて、第１印刷物を少なくとも１枚形成した後、第１加工処理を施すことで最終印刷物ＦＰの生産を行う（ステップＳ９）。
【００５４】
以上のように、印刷物生産システム１０を用いることで、最終印刷物ＦＰの生産が可能である。続いて、ステップＳ５（図３参照）における仕上がり見本Ｐ２の作製の際の、画像編集装置２０の動作について、図４及び図８のフローチャートを主に参照しながら詳細に説明する。
【００５５】
最終印刷物ＦＰのサイズに合わせて仕上がり見本Ｐ２を作製する場合、第１用紙及び第２用紙のサイズが異なるため、１枚の用紙に対して配置可能なページ数が異なってくる。例えば、第１加工処理中に折り数が複数回である紙折り工程を含む場合、紙折り工程及び断裁工程を経ることで、複数枚の端物を纏めて折った状態の折り丁が形成される。この形態を小判サイズの用紙を用いて模擬的に再現しようとすると、面付けの過程で、上記した複数枚の端物を纏めて折る指示情報が欠落する場合がある。すなわち、第１加工処理に平綴じ工程が含まれる例では、平綴じがなされる複数の折り丁（それぞれ、複数枚の端物からなる。）を形成するための紙折りが適切に実行されず、その結果、乱丁が発生することがある。ＰＯＤ用データを作成する際、この点に留意する必要がある。
【００５６】
先ず、図４において、印刷条件決定部６０は、ＰＯＤ機２４の印刷条件を決定する（ステップＳ５１）。印刷条件決定部６０は、例えば、両面印刷、折り数を１回とし、現時点において給紙可能な用紙（枚葉紙・ロール紙）のうちサイズが最大である用紙を選択・決定する。また、印刷条件決定部６０は、カラー又はモノクロの選択、色材の使用量、画質モード等を適宜決定する。
【００５７】
次いで、刷版用データ取得部６２は、メモリ４６から刷版用データを取得する（ステップＳ５２）。例えば、刷版用データとしての第１面付けデータでは、図５Ａ及び図５Ｂに示すジョブＣが定義されていたとする。具体的には、面付けされたページ総数は４８ページ（１〜４８ページ）であったとする。また、第１用紙８２のサイズは、Ｂ１判であったとする。さらに、紙折り方法は、八つ折り（すなわち、１ページのサイズがＡ４判）であったとする。さらに、綴じ方法は平綴じであったとする。
【００５８】
なお、図５Ａに示すように、第１印刷物８０のうちの１枚に関し、サイズがＢ１判である第１用紙８２の一面８４上に、８ページ分の台割りを表す版面８６と、印刷の際に見当を合わせるための目印である複数のトンボ８８とが印刷されている。
【００５９】
次いで、平綴じ有無判別部６４は、第１面付けデータを参照して、第１加工処理に平綴じ工程が含まれるか否かを判別する（ステップＳ５４）。含まれると判別された場合、ジョブ定義部６６は、平綴じがなされる折り丁単位でジョブをそれぞれ定義する（ステップＳ５５）。一方、含まれないと判別された場合、ジョブ定義部６６は、ジョブを１つ定義する（ステップＳ５６）。ここでの「ジョブ」には、紙折り工程及び綴じ工程が少なくとも含まれている。
【００６０】
図５Ｂ例によれば、第１加工処理には平綴じ工程が含まれているので、ステップＳ５５の方が実行される。１枚の第１用紙８２につき八つ折りの折り丁が１つ形成されるので（図５Ａ参照）、ジョブ定義部６６は、３つの折り丁に対応するジョブＤ１、Ｄ２、及びＤ３を定義する。
【００６１】
ところで、一般的には、印刷可能な用紙サイズが大きいＰＯＤ機２４ほど高価であり、印刷可能な用紙サイズが小さいＰＯＤ機２４ほど安価である。図５Ｂ及び図５Ｃに示すように、第１加工処理に含まれる紙折り工程での折り数（３回）は、第２加工処理に含まれる紙折り工程での折り数（１回）よりも多い。このように構成することで、仕上がり見本Ｐ２をより安価に作製できる。また、二つ折り（折り数を１回）にすることで、用紙１枚につき４ページを表現可能であり、仕上がり見本Ｐ２の単価（ランニングコスト）を抑制できる。
【００６２】
次いで、データ作成部６８は、ステップＳ５５又はＳ５６で定義されたジョブＤ１〜Ｄ３に対応するＰＯＤ用データを作成する（ステップＳ５７）。本実施の形態では、ＰＯＤ用データとして、ジョブＤ１〜Ｄ３を表す第２面付けデータ１０６を作成する。以下、第２面付けデータ１０６の作成方法について、図６Ａ及び図６Ｂを参照しながら説明する。
【００６３】
図６Ａに示すように、ＲＩＰ処理部５０は、第１用紙８２（図５Ａ参照）に対応する第１面付けデータ１００を参照して、ページ単位の編集データ１０２を第１用紙８２（同参照）上に面付けすることで、刷版用面付け済みデータ１０４を得る。
【００６４】
一方、図６Ｂに示すように、ＲＩＰ処理に先立ち、ＰＯＤ用データ処理部５４（データ作成部６８）は、第１面付けデータ１００から、第２用紙１１２（図９Ａ参照）に対応する第２面付けデータ１０６を作成する。そして、ＲＩＰ処理部５０は、第２面付けデータ１０６を参照して、ページ単位の編集データ１０２を第２用紙１１２（同参照）上に面付けすることで、ＰＯＤ用面付け済みデータ１０８を得る。この方法によれば、ページ単位の編集データ１０２を変更せずに面付けデータのみを差し替えることで、ＰＯＤ機２４に適した印刷等を行うことが可能であり、効率的である。
【００６５】
図７に示すように、第２面付けデータ１０６は、複数のジョブを内包する１つのデータファイルで構成されている。具体的には、第２面付けデータ１０６は、ジョブＤ１を定義するジョブ定義データ１０７ａと、ジョブＤ２を定義するジョブ定義データ１０７ｂと、ジョブＤ３を定義するジョブ定義データ１０７ｃとを備える。そして、ジョブ定義データ１０７ａ〜１０７ｃはそれぞれ、ＰＯＤ用面付け済みデータ１０８ａ〜１０８ｃに対応する。
【００６６】
例えば、ＪＤＦにおいて、綴じＩＤ（以下、単にＩＤという場合がある。）を用いて各ジョブを定義（区分）してもよい。図５Ｃ及び図７の例では、ジョブＤ１にはＩＤ＝１を、ジョブＤ２にはＩＤ＝２を、ジョブＤ３にはＩＤ＝３をそれぞれ割り当てている。
【００６７】
なお、第２面付けデータ１０６の作成方法に関しては、特開２０１１−１８２３０号公報に記載された手法を採用することができる。具体的には、第１面付けデータ１００（ＪＤＦ）のデータ構造を複製し、ページ番号、面付け方法、用紙サイズ、版面・トンボの配置等を表す各種パラメータを適宜修正する。また、第２面付けデータ１０６は、ジョブ単位でそれぞれ定義されるデータファイル群であってもよい。この場合、第２面付けデータ１０６は、複数のデータファイルで構成される。
【００６８】
次いで、制御部３６は、ステップＳ５７で作成されたＰＯＤ用データ（ここでは、第２面付けデータ１０６）を、メモリ４６に一時的に記録・保存させる（ステップＳ５８）。
【００６９】
次いで、図８に進んで、画像編集装置２０は、所定のタイミングで生成されたジョブＤ１〜Ｄ３の実行指示を受け付ける（ステップＳ５９）。このとき、印刷制御部５２は、ＩＤの値の昇順で、すなわち、ジョブＤ１、Ｄ２及びＤ３の順番で実行されるように、各ジョブを適切に登録・管理する。
【００７０】
次いで、ＲＩＰ処理部５０は、メモリ４６からＰＯＤ用データを取得する（ステップＳ６０）。具体的には、ＲＩＰ処理部５０は、ページ単位の編集データ１０２及び第２面付けデータ１０６を取得する。
【００７１】
次いで、印刷制御部５２は、未実行のジョブがあるか否かを確認する（ステップＳ６１）。初期状態においては、ジョブＤ１〜Ｄ３が未実行のままキュー登録されているので、「ＹＥＳ」であるとして、次のステップ（Ｓ６２）に進む。
【００７２】
次いで、面付け処理部５６は、ページ単位の編集データ１０２を、第２面付けデータ１０６に従って第２用紙１１２（図９Ａ参照）上に面付けする（ステップＳ６２）。そして、ラスタライズ処理部５８によるラスタライズ処理を施すことで、ＰＯＤ機２４に適したＰＯＤ用面付け済みデータ１０８（図６Ｂ参照）が得られる。
【００７３】
次いで、印刷制御部５２は、第２用紙１１２（図９Ａ参照）を用いて、ＰＯＤ機２４に印刷工程を実行させる（ステップＳ６３）。そうすると、図９Ａに示すように、ジョブＤ１に対応する第２印刷物１１０（４枚の端物Ｑ１〜Ｑ４）がそれぞれ形成される。各端物Ｑ１〜Ｑ４は、第２用紙１１２の両面にそれぞれ画像が形成されてなる。例えば、端物Ｑ４の一面１１４上には、２ページ分の台割りを表す版面１１６と、印刷の際に見当を合わせるための目印である複数のトンボ１１８とが印刷されている。
【００７４】
次いで、印刷制御部５２は、ＰＯＤ機２４に紙折り工程を実行させる（ステップＳ６４）。ステップＳ６３において、端物Ｑ１、Ｑ２、Ｑ３、及びＱ４の順番で印刷された後、揃えられた状態下で積載されている。そして、ＰＯＤ機２４の紙折り機能を用いて、折り線１２０に沿って纏めて山折りすると、図９Ｂに示す第１折り丁１２２が形成される。
【００７５】
次いで、ステップＳ６１に戻って、印刷制御部５２は、未実行のジョブがあるか否かを確認する。すなわち、未実行のジョブが無くなるまで、ステップＳ６１〜Ｓ６４を繰り返す。図５Ａ及び図５Ｂに例示する第１印刷物８０の場合では、ジョブＤ１と同様に、ジョブＤ２に対応する第２折り丁１２４が形成され、ジョブＤ３に対応する第３折り丁１２６が形成される。
【００７６】
次いで、第１折り丁１２２、第２折り丁１２４及び第３折り丁１２６を平綴じさせる（ステップＳ６５）。例えば、綴じ機能を備えるＰＯＤ機２４を用いる場合、印刷制御部５２は、ＰＯＤ機２４に平綴じ工程を実行させればよい。あるいは、綴じ機能を備えていないＰＯＤ機２４を用いる場合、製版サイト１２内にある図示しない綴じ機を用いて、綴じ工程を実行させてもよい。
【００７７】
図１０に示すように、下から順番に、第３折り丁１２６、第２折り丁１２４、第１折り丁１２２を積載した状態で、２つのステープル針１２８、１２８を用いて、第１折り丁１２２側から平綴じする。そうすると、ページ番号が１〜４８の順で正しく配列された仕上がり見本Ｐ２が作製される。綴じ方法は、ステープル針１２８による針金綴じに限られず、例えば糸かがりであってもよい。
【００７８】
なお、ステップＳ５６（図４参照）において、ジョブ定義部６６によりジョブが１つだけ定義された場合、この平綴じ工程を要しないことはいうまでもない。
【００７９】
最後に、仕上がり見本Ｐ２に対し、必要に応じてその他の加工処理を施す（ステップＳ６６）。仕上がり見本Ｐ２の使用目的（要求される完成度）に応じて、断裁工程、表紙つけ工程等の製本工程を実行してもよい。
【００８０】
このようにして、最終印刷物ＦＰを模擬した仕上がり見本Ｐ２を作製する（ステップＳ５）。
【００８１】
以上のように、第１加工処理に平綴じ工程が含まれるか否かを判別し、含まれると判別された場合、平綴じがなされる折り丁単位で定義されたジョブＤ１〜Ｄ３毎に、第２用紙１１２に対応する第２面付けデータ１０６（より詳細には、ジョブ定義データ１０７ａ〜１０７ｃ）をそれぞれ作成するようにしたので、印刷工程及び紙折り工程を含むジョブを順次登録することで、各折り丁を形成するための紙折り工程が適切なタイミングで確実に実行される。これにより、平綴じが含まれる製本形態であっても、第１用紙８２を用いた最終印刷物ＦＰの形態を、第２用紙１１２を用いて模擬的に再現可能である。すなわち、ＰＯＤシステム（ＰＯＤ機２４）を用いて、乱丁等の製本不良を生じることなく仕上がり見本Ｐ２を作製できる。
【００８２】
続いて、本実施の形態の変形例について図１１を参照しながら説明する。
【００８３】
本実施の形態（図６Ｂ参照）において、ＰＯＤ機２４に適した第２面付けデータ１０６を作成するようにしたが、別の構成を採ってもよい。ＰＯＤ用データ処理部５４が備えるデータ作成部１４０は、刷版用面付け済みデータ１０４（図６Ａ参照）に基づいて、第２用紙１１２に対応するＰＯＤ用面付け済みデータ１４２（印刷用データ）を作成してもよい。具体的には、データ作成部１４０は、刷版用面付け済みデータ１０４の各ページの内容やトンボ等を再配置した後、画像を切り出すことで、ＰＯＤ用面付け済みデータ１４２を作成する。これにより、画像編集装置２０とは異なる装置においてＲＩＰ処理を既に行っている場合、第１面付けデータ１００及び／又はページ単位の編集データ１０２を再度読み出す必要がなく、便宜である。
【００８４】
なお、この発明は、上述した実施形態に限定されるものではなく、この発明の主旨を逸脱しない範囲で自由に変更できることは勿論である。
【符号の説明】
【００８５】
１０…印刷物生産システム                  １２…製版サイト
１４…印刷サイト                          １６…データベースサーバ
２０…画像編集装置                        ２４…ＰＯＤ機
３６…制御部                              ４６…メモリ
５２…印刷制御部                          ５４…ＰＯＤ用データ処理部
５６…面付け処理部                        ６４…平綴じ有無判別部
６６…ジョブ定義部                        ６８、１４０…データ作成部
８０…第１印刷物                          ８２…第１用紙
１００…第１面付けデータ                  １０２…ページ単位の編集データ
１０４…刷版用面付け済みデータ            １０６…第２面付けデータ
１０７ａ〜１０７ｃ…ジョブ定義データ
１０８（ａ〜ｃ）、１４２…ＰＯＤ用面付け済みデータ
１１０…第２印刷物                        １１２…第２用紙
１２２…第１折り丁                        １２４…第２折り丁
１２６…第３折り丁                        Ｐ１…校正刷り
Ｐ２…仕上がり見本                        ＦＰ…最終印刷物
【図１】
0005367016.tif 000002
【図２】
0005367016.tif 000003
【図３】
0005367016.tif 000004
【図４】
0005367016.tif 000005
【図５】
0005367016.tif 000006
【図６】
0005367016.tif 000007
【図７】
0005367016.tif 000008
【図８】
0005367016.tif 000009
【図９】
0005367016.tif 000010
【図１０】
0005367016.tif 000011
【図１１】
0005367016.tif 000012